【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
アクセスポイントのグローバル時刻を同期させるための方法であって、
第２のアクセスポイントからグローバル時刻インジケーションを備えたメッセージを受信することと、
前記アクセスポイントと少なくとも１つの関連したワイヤレス局との間の同期の維持を確実にするのに十分小さく選択された所定値を超えない増分だけ前記アクセスポイントのタイマーを更新することによって、前記第２のアクセスポイントからの前記グローバル時刻インジケーションに前記アクセスポイントの前記グローバル時刻を更新することと
を備え、アンカーデバイスが、前記アクセスポイントおよび前記第２のアクセスポイントのための共通のアンカーデバイスであるとき、前記アクセスポイントの前記グローバル時刻を前記第２のアクセスポイントの前記グローバル時刻に更新することは、第２の差が第１の差よりも大きいときであり、前記アクセスポイントの前記グローバル時刻は、前記第２の差が前記第１の差よりも小さい場合に維持され、前記第１の差は、前記第２のアクセスポイントの前記グローバル時刻インジケーションと、前記アンカーデバイスから前記第２のアクセスポイントによって受信された最後のグローバル時刻との間のものであり、前記第２の差は、前記アクセスポイントの記憶されたグローバル時刻と、前記アンカーデバイスから前記アクセスポイントによって受信された前記最後のグローバル時刻との間のものである、
方法。
【請求項２】
前記アクセスポイントの前記グローバル時刻は、前記第２のアクセスポイントからの前記グローバル時刻インジケーションが、前記アクセスポイントの前記グローバル時刻よりも遅いグローバル時刻を示すときに、前記第２のアクセスポイントからの前記グローバル時刻インジケーションに更新される、請求項１に記載の方法。
【請求項３】
前記アクセスポイントの前記グローバル時刻は、前記第２のアクセスポイントからの前記グローバル時刻インジケーションが、前記アクセスポイントの前記グローバル時刻よりも早いグローバル時刻を示すときに、前記第２のアクセスポイントからの前記グローバル時刻インジケーションに更新される、請求項１に記載の方法。
【請求項４】
前記グローバル時刻インジケーションは、前記第２のアクセスポイントの前記グローバル時刻からの前記第２のアクセスポイントのタイミング同期機能のオフセットのインジケーションである、請求項１に記載の方法。
【請求項５】
前記メッセージはビーコンフレームを備える、請求項１に記載の方法。
【請求項６】
前記タイマーが前記第２のアクセスポイントからの前記グローバル時刻インジケーションに対応するように更新されるまで、前記増分だけ前記タイマーを連続的に更新することをさらに備える、請求項１に記載の方法。
【請求項７】
前記アクセスポイントの前記タイマーを連続的に更新することは周期的に行われる、請求項６に記載の方法。
【請求項８】
前記方法は、アンカーデバイスの媒体アクセス制御（ＭＡＣ）アドレスを、記憶されたアンカーデバイスＭＡＣアドレスと比較することによって、前記アンカーデバイスが、前記アクセスポイントおよび前記第２のアクセスポイントのための共通のアンカーデバイスであるかどうかを決定することをさらに備える、請求項１に記載の方法。
【請求項９】
前記方法は、前記アンカーデバイスが、前記アクセスポイントおよび前記第２のアクセスポイントのための共通のアンカーデバイスではなく、前記アンカーデバイスのアンカーウェイトが、記憶されたアンカーウェイトよりも大きいときに、前記アクセスポイントの前記グローバル時刻を前記第２のアクセスポイントの前記グローバル時刻に更新することをさらに備える、請求項８に記載の方法。
【請求項１０】
前記メッセージは、前記第２のアクセスポイントからの前記メッセージを転送するワイヤレス局から受信され、前記メッセージは、
前記メッセージが前記ワイヤレス局によって受信されたときの前記ワイヤレス局のタイミング同期機能を示すフィールドと、
前記第２のアクセスポイントからの前記グローバル時刻インジケーションからの前記タイミング同期機能のオフセットを示すフィールドと、
前記メッセージ中に前記ワイヤレス局によって受信された前記第２のアクセスポイントのタイミング同期機能を示すフィールドと、
前記グローバル時刻インジケーションを決定するように前記第２のアクセスポイントによって利用されたアンカーデバイスの信頼性を示すフィールドと、
前記アンカーデバイスの最新の既知のグローバル時刻を示すフィールドと、
前記アンカーデバイスの媒体アクセス制御（ＭＡＣ）アドレスを示すフィールドと
のうちの１つ以上をさらに備える、請求項１に記載の方法。
【請求項１１】
装置のグローバル時刻を同期させるための装置であって、
第２のアクセスポイントからグローバル時刻インジケーションを備えたメッセージを受信するように構成された受信機と、
前記装置と少なくとも１つの関連したワイヤレス局との間の同期の維持を確実にするのに十分小さく選択された所定値を超えない増分だけ前記装置のタイマーを更新することによって、前記第２のアクセスポイントからの前記グローバル時刻インジケーションに前記装置の前記グローバル時刻を更新するように構成されたプロセッサと
を備え、アンカーデバイスが、前記装置および前記第２のアクセスポイントのための共通のアンカーデバイスであるとき、前記プロセッサは、第２の差が第１の差よりも大きいときに前記装置の前記グローバル時刻を前記第２のアクセスポイントの前記グローバル時刻に更新するようにさらに構成され、前記装置の前記グローバル時刻は、前記第２の差が前記第１の差よりも小さい場合に維持され、前記第１の差は、前記第２のアクセスポイントの前記グローバル時刻インジケーションと、前記アンカーデバイスから前記第２のアクセスポイントによって受信された最後のグローバル時刻との間のものであり、前記第２の差は、前記装置の記憶されたグローバル時刻と、前記アンカーデバイスから前記装置によって受信された前記最後のグローバル時刻との間のものである、
装置。
【請求項１２】
前記プロセッサは、前記第２のアクセスポイントからの前記グローバル時刻インジケーションが、前記装置の前記グローバル時刻よりも遅いグローバル時刻を示すときに、前記第２のアクセスポイントからの前記グローバル時刻インジケーションに前記装置の前記グローバル時刻を更新するように構成される、請求項１１に記載の装置。
【請求項１３】
前記プロセッサは、前記第２のアクセスポイントからの前記グローバル時刻インジケーションが、前記装置の前記グローバル時刻よりも早いグローバル時刻を示すときに、前記第２のアクセスポイントからの前記グローバル時刻インジケーションに前記装置の前記グローバル時刻を更新するように構成される、請求項１１に記載の装置。
【請求項１４】
前記グローバル時刻インジケーションは、前記第２のアクセスポイントの前記グローバル時刻からの前記第２のアクセスポイントのタイミング同期機能のオフセットのインジケーションを備える、請求項１１に記載の装置。
【請求項１５】
前記メッセージはビーコンフレームを備える、請求項１１に記載の装置。
【請求項１６】
前記プロセッサは、前記タイマーが前記第２のアクセスポイントからの前記グローバル時刻インジケーションに対応するように更新されるまで、増分だけ前記タイマーを連続的に更新するようにさらに構成される、請求項１１に記載の装置。
【請求項１７】
前記プロセッサは、周期的に前記タイマーを連続的に更新するように構成される、請求項１６に記載の装置。
【請求項１８】
前記プロセッサは、アンカーデバイスの媒体アクセス制御（ＭＡＣ）アドレスを、記憶されたアンカーデバイスＭＡＣアドレスと比較することによって、前記アンカーデバイスが、前記装置および前記第２のアクセスポイントのための共通のアンカーデバイスであるかどうかを決定するようにさらに構成される、請求項１１に記載の装置。
【請求項１９】
前記プロセッサは、前記アンカーデバイスが、前記装置および前記第２のアクセスポイントのための共通のアンカーデバイスではなく、前記アンカーデバイスのアンカーウェイトが、記憶されたアンカーウェイトよりも大きいときに、前記装置の前記グローバル時刻を前記第２のアクセスポイントの前記グローバル時刻に更新するようにさらに構成される、請求項１８に記載の装置。
【請求項２０】
前記受信機は、前記第２のアクセスポイントからの前記メッセージを転送するワイヤレス局から前記メッセージを受信するように構成され、前記メッセージは、
前記メッセージが前記ワイヤレス局によって受信されたときの前記ワイヤレス局のタイミング同期機能を示すフィールドと、
前記第２のアクセスポイントからの前記グローバル時刻インジケーションからの前記タイミング同期機能のオフセットを示すフィールドと、
前記メッセージ中に前記ワイヤレス局によって受信された前記第２のアクセスポイントのタイミング同期機能を示すフィールドと、
前記第２のアクセスポイントからのグローバル時刻インジケーションを決定するように前記第２のアクセスポイントによって利用されたアンカーデバイスの信頼性を示すフィールドと、
前記アンカーデバイスの最新の既知のグローバル時刻を示すフィールドと、
前記アンカーデバイスの媒体アクセス制御（ＭＡＣ）アドレスを示すフィールドと
のうちの１つ以上をさらに備える、請求項１１に記載の装置。
【請求項２１】
コードを備えた非一時的なコンピュータ可読媒体であって、前記コードは、実行されると、装置に、
第２のアクセスポイントからグローバル時刻インジケーションを備えたメッセージを受信することと、
前記装置と少なくとも１つの関連したワイヤレス局との間の同期の維持を確実にするのに十分小さく選択された所定値を超えない増分だけ前記装置のタイマーを更新することによって、前記第２のアクセスポイントからの前記グローバル時刻インジケーションに前記装置のグローバル時刻を更新することと
を行わせ、アンカーデバイスが、前記装置および前記第２のアクセスポイントのための共通のアンカーデバイスであるとき、前記装置の前記グローバル時刻を前記第２のアクセスポイントの前記グローバル時刻に更新することは、第２の差が第１の差よりも大きいときであり、前記装置の前記グローバル時刻は、前記第２の差が前記第１の差よりも小さい場合に維持され、前記第１の差は、前記第２のアクセスポイントの前記グローバル時刻インジケーションと、前記アンカーデバイスから前記第２のアクセスポイントによって受信された最後のグローバル時刻との間のものであり、前記第２の差は、前記装置の記憶されたグローバル時刻と、前記アンカーデバイスから前記装置によって受信された前記最後のグローバル時刻との間のものである、
非一時的なコンピュータ可読媒体。
【請求項２２】
装置のグローバル時刻を同期させるための装置であって、
第２のアクセスポイントからグローバル時刻インジケーションを備えたメッセージを受信するための手段と、
前記装置と少なくとも１つの関連したワイヤレス局との間の同期の維持を確実にするのに十分小さく選択された所定値を超えない増分だけ前記装置のタイマーを更新することによって、前記第２のアクセスポイントからの前記グローバル時刻インジケーションに前記装置の前記グローバル時刻を更新するための手段と
を備え、アンカーデバイスが、前記装置および前記第２のアクセスポイントのための共通のアンカーデバイスであるとき、前記更新するための手段は、第２の差が第１の差よりも大きいときに前記装置の前記グローバル時刻を前記第２のアクセスポイントの前記グローバル時刻に更新するようにさらに構成され、前記装置の前記グローバル時刻は、前記第２の差が前記第１の差よりも小さい場合に維持され、前記第１の差は、前記第２のアクセスポイントの前記グローバル時刻インジケーションと、前記アンカーデバイスから前記第２のアクセスポイントによって受信された最後のグローバル時刻との間のものであり、前記第２の差は、前記装置の記憶されたグローバル時刻と、前記アンカーデバイスから前記装置によって受信された前記最後のグローバル時刻との間のものである、
装置。
【手続補正２】
【補正対象書類名】明細書
【補正対象項目名】００６７
【補正方法】変更
【補正の内容】
【００６７】
[0074]  前述の内容は本開示の態様を対象としているが、本開示の他の態様およびさらなる態様が、その基本的な範囲から逸脱せずに考案されることができ、その範囲は、下記の特許請求の範囲によって決定される。
以下に、本願の出願当初の特許請求の範囲に記載された発明を付記する。
［Ｃ１］
アクセスポイントのグローバル時刻を同期させるための方法であって、
第２のアクセスポイントからグローバル時刻インジケーションを備えたメッセージを受信することと、
前記アクセスポイントと少なくとも１つの関連したワイヤレス局との間の同期の維持を確実にするのに十分小さく選択された所定値を超えない増分だけ前記アクセスポイントのタイマーを更新することによって、前記第２のアクセスポイントからの前記グローバル時刻インジケーションに前記アクセスポイントの前記グローバル時刻を更新することと
を備える、方法。
［Ｃ２］
前記アクセスポイントの前記グローバル時刻は、前記第２のアクセスポイントからの前記グローバル時刻インジケーションが、前記アクセスポイントの前記グローバル時刻よりも遅いグローバル時刻を示すときに、前記第２のアクセスポイントからの前記グローバル時刻インジケーションに更新される、Ｃ１に記載の方法。
［Ｃ３］
前記アクセスポイントの前記グローバル時刻は、前記第２のアクセスポイントからの前記グローバル時刻インジケーションが、前記アクセスポイントの前記グローバル時刻よりも早いグローバル時刻を示すときに、前記第２のアクセスポイントからの前記グローバル時刻インジケーションに更新される、Ｃ１に記載の方法。
［Ｃ４］
前記グローバル時刻インジケーションは、前記第２のアクセスポイントの前記グローバル時刻からの前記第２のアクセスポイントのタイミング同期機能のオフセットのインジケーションである、Ｃ１に記載の方法。
［Ｃ５］
前記メッセージはビーコンフレームを備える、Ｃ１に記載の方法。
［Ｃ６］
前記タイマーが前記第２のアクセスポイントからの前記グローバル時刻インジケーションに対応するように更新されるまで、前記増分だけ前記タイマーを連続的に更新することをさらに備える、Ｃ１に記載の方法。
［Ｃ７］
前記アクセスポイントの前記タイマーを連続的に更新することは周期的に行われる、Ｃ６に記載の方法。
［Ｃ８］
アンカーデバイスが、前記アクセスポイントおよび前記第２のアクセスポイントのための共通のアンカーデバイスであるとき、前記アクセスポイントの前記グローバル時刻を更新することは、
前記第２のアクセスポイントの前記グローバル時刻インジケーションと、前記アンカーデバイスから前記第２のアクセスポイントによって受信された最後のグローバル時刻との間の第１の差を決定することと、
前記アクセスポイントの記憶されたグローバル時刻と、前記アンカーデバイスから前記アクセスポイントによって受信された前記最後のグローバル時刻との間の第２の差を決定することと、
前記第２の差が前記第１の差よりも大きいときに、前記アクセスポイントの前記グローバル時刻を前記第２のアクセスポイントの前記グローバル時刻に更新することと
をさらに備える、Ｃ１に記載の方法。
［Ｃ９］
前記方法は、アンカーデバイスの媒体アクセス制御（ＭＡＣ）アドレスを、記憶されたアンカーデバイスＭＡＣアドレスと比較することによって、前記アンカーデバイスが、前記アクセスポイントおよび前記第２のアクセスポイントのための共通のアンカーデバイスであるかどうかを決定することをさらに備える、Ｃ１に記載の方法。
［Ｃ１０］
前記方法は、前記アンカーデバイスが、前記アクセスポイントおよび前記第２のアクセスポイントのための共通のアンカーデバイスではなく、前記アンカーデバイスのアンカーウェイトが、記憶されたアンカーウェイトよりも大きいときに、前記アクセスポイントの前記グローバル時刻を前記第２のアクセスポイントの前記グローバル時刻に更新することをさらに備える、Ｃ９に記載の方法。
［Ｃ１１］
前記メッセージは、前記第２のアクセスポイントからの前記メッセージを転送するワイヤレス局から受信され、前記メッセージは、
前記メッセージが前記ワイヤレス局によって受信されたときの前記ワイヤレス局のタイミング同期機能を示すフィールドと、
前記第２のアクセスポイントからの前記グローバル時刻インジケーションからの前記タイミング同期機能のオフセットを示すフィールドと、
前記メッセージ中に前記ワイヤレス局によって受信された前記第２のアクセスポイントのタイミング同期機能を示すフィールドと、
前記グローバル時刻インジケーションを決定するように前記第２のアクセスポイントによって利用されたアンカーデバイスの信頼性を示すフィールドと、
前記アンカーデバイスの最新の既知のグローバル時刻を示すフィールドと、
前記アンカーデバイスの媒体アクセス制御（ＭＡＣ）アドレスを示すフィールドと
のうちの１つ以上をさらに備える、Ｃ１に記載の方法。
［Ｃ１２］
装置のグローバル時刻を同期させるための装置であって、
第２のアクセスポイントからグローバル時刻インジケーションを備えたメッセージを受信するように構成された受信機と、
前記装置と少なくとも１つの関連したワイヤレス局との間の同期の維持を確実にするのに十分小さく選択された所定値を超えない増分だけ前記装置のタイマーを更新することによって、前記第２のアクセスポイントからの前記グローバル時刻インジケーションに前記装置の前記グローバル時刻を更新するように構成されたプロセッサと
を備える、装置。
［Ｃ１３］
前記プロセッサは、前記第２のアクセスポイントからの前記グローバル時刻インジケーションが、前記装置の前記グローバル時刻よりも遅いグローバル時刻を示すときに、前記第２のアクセスポイントからの前記グローバル時刻インジケーションに前記装置の前記グローバル時刻を更新するように構成される、Ｃ１２に記載の装置。
［Ｃ１４］
前記プロセッサは、前記第２のアクセスポイントからの前記グローバル時刻インジケーションが、前記装置の前記グローバル時刻よりも早いグローバル時刻を示すときに、前記第２のアクセスポイントからの前記グローバル時刻インジケーションに前記装置の前記グローバル時刻を更新するように構成される、Ｃ１２に記載の装置。
［Ｃ１５］
前記グローバル時刻インジケーションは、前記第２のアクセスポイントの前記グローバル時刻からの前記第２のアクセスポイントのタイミング同期機能のオフセットのインジケーションを備える、Ｃ１２に記載の装置。
［Ｃ１６］
前記メッセージはビーコンフレームを備える、Ｃ１２に記載の装置。
［Ｃ１７］
前記プロセッサは、前記タイマーが前記第２のアクセスポイントからの前記グローバル時刻インジケーションに対応するように更新されるまで、増分だけ前記タイマーを連続的に更新するようにさらに構成される、Ｃ１２に記載の装置。
［Ｃ１８］
前記プロセッサは、周期的に前記タイマーを連続的に更新するように構成される、Ｃ１７に記載の装置。
［Ｃ１９］
アンカーデバイスが、前記装置および前記第２のアクセスポイントのための共通のアンカーデバイスであるとき、前記プロセッサは、
前記第２のアクセスポイントの前記グローバル時刻インジケーションと、前記アンカーデバイスから前記第２のアクセスポイントによって受信された最後のグローバル時刻との間の第１の差を決定することと、
前記装置の記憶されたグローバル時刻と、前記アンカーデバイスから前記装置によって受信された前記最後のグローバル時刻との間の第２の差を決定することと、
前記第２の差が前記第１の差よりも大きいときに、前記装置の前記グローバル時刻を前記第２のアクセスポイントの前記グローバル時刻に更新することと
によって前記装置の前記グローバル時刻を更新するようにさらに構成される、Ｃ１２に記載の装置。
［Ｃ２０］
前記プロセッサは、アンカーデバイスの媒体アクセス制御（ＭＡＣ）アドレスを、記憶されたアンカーデバイスＭＡＣアドレスと比較することによって、前記アンカーデバイスが、前記装置および前記第２のアクセスポイントのための共通のアンカーデバイスであるかどうかを決定するようにさらに構成される、Ｃ１２に記載の装置。
［Ｃ２１］
前記プロセッサは、前記アンカーデバイスが、前記装置および前記第２のアクセスポイントのための共通のアンカーデバイスではなく、前記アンカーデバイスのアンカーウェイトが、記憶されたアンカーウェイトよりも大きいときに、前記装置の前記グローバル時刻を前記第２のアクセスポイントの前記グローバル時刻に更新するようにさらに構成される、Ｃ２０に記載の装置。
［Ｃ２２］
前記受信機は、前記第２のアクセスポイントからの前記メッセージを転送するワイヤレス局から前記メッセージを受信するように構成され、前記メッセージは、
前記メッセージが前記ワイヤレス局によって受信されたときの前記ワイヤレス局のタイミング同期機能を示すフィールドと、
前記第２のアクセスポイントからの前記グローバル時刻インジケーションからの前記タイミング同期機能のオフセットを示すフィールドと、
前記メッセージ中に前記ワイヤレス局によって受信された前記第２のアクセスポイントのタイミング同期機能を示すフィールドと、
前記第２のアクセスポイントからのグローバル時刻インジケーションを決定するように前記第２のアクセスポイントによって利用されたアンカーデバイスの信頼性を示すフィールドと、
前記アンカーデバイスの最新の既知のグローバル時刻を示すフィールドと、
前記アンカーデバイスの媒体アクセス制御（ＭＡＣ）アドレスを示すフィールドと
のうちの１つ以上をさらに備える、Ｃ１２に記載の装置。
［Ｃ２３］
コードを備えた非一時的なコンピュータ可読媒体であって、前記コードは、実行されると、装置に、
第２のアクセスポイントからグローバル時刻インジケーションを備えたメッセージを受信することと、
前記装置と少なくとも１つの関連したワイヤレス局との間の同期の維持を確実にするのに十分小さく選択された所定値を超えない増分だけ前記装置のタイマーを更新することによって、前記第２のアクセスポイントからの前記グローバル時刻インジケーションに前記装置のグローバル時刻を更新することと
を行わせる、非一時的なコンピュータ可読媒体。
［Ｃ２４］
装置のグローバル時刻を同期させるための装置であって、
第２のアクセスポイントからグローバル時刻インジケーションを備えたメッセージを受信するための手段と、
前記装置と少なくとも１つの関連したワイヤレス局との間の同期の維持を確実にするのに十分小さく選択された所定値を超えない増分だけ前記装置のタイマーを更新することによって、前記第２のアクセスポイントからの前記グローバル時刻インジケーションに前記装置の前記グローバル時刻を更新するための手段と
を備える、装置。